(57)【要約】【課題】梁架構の据え付け作業を効率的に行うことが可能となる、梁架構の据え付け方法を提供すること。【解決手段】建物１の屋根架構であり、梁材３０を備える屋根架構を免震装置６０に据え付けるための据え付け方法であって、梁材３０を搬送する搬送装置７０であって、梁材３０の部分のうち束材及びその近傍部分以外の部分である支持対象部分３７を支持する受け部８０を備える搬送装置７０を用いて、搬送装置７０を移動させながら梁材３０を所定位置までトラベリングするトラベリング工程と、トラベリング工程後に、受け部８０によって梁材３０が支持されている状態において、建物１を構成する柱部と束材との相互間に免震装置６０を設ける設置工程と、設置工程後に、受け部８０が受けている梁材３０の荷重を免震装置６０に盛り替える盛替工程と、を含む。【選択図】図６
2020084533.tif 000002
【特許請求の範囲】
【請求項１】
建物の梁架構であり、トラス梁を備える梁架構を支持手段に据え付けるための据え付け方法であって、
前記トラス梁を搬送する搬送手段であって、前記トラス梁の部分のうち束材及びその近傍部分以外の部分である支持対象部分を支持する受け部を備える搬送手段を用いて、当該搬送手段を移動させながら前記トラス梁を所定位置までトラベリングするトラベリング工程と、
前記トラベリング工程後に、前記受け部によって前記トラス梁が支持されている状態において、前記建物を構成する柱部又は梁部と前記束材との相互間に前記支持手段を設ける設置工程と、
前記設置工程後に、前記受け部が受けている前記トラス梁の荷重を前記支持手段に盛り替える盛替工程と、
を含む梁架構の据え付け方法。
【請求項２】
前記支持手段は、免震装置である、
請求項１に記載の梁架構の据え付け方法。
【請求項３】
前記支持対象部分は、前記トラス梁を構成する下側弦材の部分のうち斜材との交差部分である、
請求項１又は２に記載の梁架構の据え付け方法。
【発明の詳細な説明】
【技術分野】
【０００１】
本発明は、梁架構の据え付け方法に関する。
【背景技術】
【０００２】
従来から、体育館等の建物の屋根架構を構築する技術の一つとして、屋根架構を構成するトラスユニットを単体で設置位置までトラベリングして設置する技術が提案されている（特許文献１参照）。
【０００３】
また、この屋根架構の免震化を図るために、下部構造（例えば、柱部等）に設けられる免震装置に屋根架構を据え付けることが考えられるが、その据え付け方法としては、例えば以下の通りとなる。すなわち、まず、設置位置までトラベリングしたトラスユニットの下弦材のうち免震装置の設置部分に鉛直ジャッキを設けて、トラスユニットを第１鉛直ジャッキで仮受けする。次に、第１鉛直ジャッキの近傍に一対の第２鉛直ジャッキを設けて、第１鉛直ジャッキが受けているトラスユニットの荷重を一対の第２鉛直ジャッキに盛り替えた後、第１鉛直ジャッキを撤去する。そして、上記下弦材における免震装置の設置部分に免震装置を設置した後に、一対の第２鉛直ジャッキが受けているトラスユニットの荷重を免震装置に盛り替える。
【先行技術文献】
【特許文献】
【０００４】
【特許文献１】特開２００３−２２１８７５号公報
【発明の概要】
【発明が解決しようとする課題】
【０００５】
しかしながら、上記従来の屋根架構の据え付け方法においては、上述したように、トラスユニットの荷重を盛り替える作業を複数回行っていたので、当該盛り替える作業に多大な手間を要することで、屋根架構の如き梁架構の据え付け作業を効率的に行うことが難しくなる可能性があることから、作業性の観点からは改善の余地があった。
【０００６】
本発明は、上記に鑑みてなされたものであって、梁架構の据え付け作業を効率的に行うことが可能となる、梁架構の据え付け方法を提供することを目的とする。
【課題を解決するための手段】
【０００７】
上述した課題を解決し、目的を達成するために、請求項１に記載の梁架構の据え付け方法は、建物の梁架構であり、トラス梁を備える梁架構を支持手段に据え付けるための据え付け方法であって、前記トラス梁を搬送する搬送手段であって、前記トラス梁の部分のうち束材及びその近傍部分以外の部分である支持対象部分を支持する受け部を備える搬送手段を用いて、当該搬送手段を移動させながら前記トラス梁を所定位置までトラベリングするトラベリング工程と、前記トラベリング工程後に、前記受け部によって前記トラス梁が支持されている状態において、前記建物を構成する柱部又は梁部と前記束材との相互間に前記支持手段を設ける設置工程と、前記設置工程後に、前記受け部が受けている前記トラス梁の荷重を前記支持手段に盛り替える盛替工程と、を含む。
【０００８】
請求項２に記載の梁架構の据え付け方法は、請求項１に記載の梁架構の据え付け方法において、前記支持手段は、免震装置である。
【０００９】
請求項３に記載の梁架構の据え付け方法は、請求項１又は２に記載の梁架構の据え付け方法において、前記支持対象部分は、前記トラス梁を構成する下側弦材の部分のうち斜材との交差部分である。
【発明の効果】
【００１０】
請求項１に記載の梁架構の据え付け方法によれば、トラス梁を搬送する搬送手段であって、トラス梁の部分のうち束材及びその近傍部分以外の部分である支持対象部分を支持する受け部を備える搬送手段を用いて、当該搬送手段を移動させながらトラス梁を所定位置までトラベリングするトラベリング工程と、トラベリング工程後に、受け部によってトラス梁が支持されている状態において、建物を構成する柱部又は梁部と束材との相互間に支持手段を設ける設置工程と、設置工程後に、受け部が受けているトラス梁の荷重を支持手段に盛り替える盛替工程と、を含むので、トラス梁を支持手段に据え付けると同時に盛り替え工程を行うことができる。よって、従来技術（トラスユニットの下弦材のうち免震装置の設置部分に設けられた鉛直ジャッキにてトラスユニットを仮受けする技術）に比べて、盛り替え工程に要する手間を低減でき、梁架構の据え付け作業の効率化を図ることができる。
【００１１】
請求項２に記載の梁架構の据え付け方法によれば、支持手段が、免震装置であるので、支持手段が免震装置である場合にトラス梁を据え付けると同時に盛り替え工程を行うことができ、免震化される梁架構の据え付け作業の効率化を図ることができる。
【００１２】
請求項３に記載の梁架構の据え付け方法によれば、支持対象部分が、トラス梁を構成する下側弦材の部分のうち斜材との交差部分であるので、受け部によるトラス梁の支持を安定させることができ、梁架構の据え付け作業の安全性を確保しやすくなる。
【図面の簡単な説明】
【００１３】
【図１】本発明の実施の形態に係る建物を概念的に示す図であり、（ａ）は正面図、（ｂ）は側面図である。
【図２】梁材を示す斜視図である。
【図３】図１（ｂ）の建物のＡ領域の拡大図である。
【図４】屋根架構の据え付け方法のトラベリング工程を示す図であって、図３に対応する領域を示す図である。
【図５】屋根架構の据え付け方法の設置工程を示す図であって、図３に対応する領域を示す図である。
【図６】屋根架構の据え付け方法の盛替工程を示す図であって、図３に対応する領域を示す図である。
【発明を実施するための形態】
【００１４】
以下に添付図面を参照して、この発明に係る梁架構の据え付け方法の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１５】
〔Ｉ〕実施の形態の基本的概念
まず、実施の形態の基本的概念について説明する。実施の形態は、概略的に、建物の梁架構であり、トラス梁を備える梁架構を支持手段に据え付けるための据え付け方法に関する。ここで、「建物」の具体的な構造や種類は任意であり、例えば、公共施設（例えば、体育館等）、商業施設（例えば、ショッピングモール等）、工場施設等を含む概念であるが、実施の形態では体育館として説明する。また、「梁架構」とは、梁を組み合わせて構成された架構であり、例えば屋根架構や床架構等を含む概念であるが、実施の形態では、屋根架構として説明する。また、「支持手段」とは、梁架構を支持するものであり、例えば、免震支持部（一例として免震装置等）や非免震支持部（一例として鋼製支承の如き非免震支承等）を含む概念であるが、実施の形態では、免震装置として説明する。
【００１６】
〔ＩＩ〕実施の形態の具体的内容
次に、実施の形態の具体的内容について説明する。
【００１７】
（構成）
最初に、実施の形態に係る梁架構の据え付け方法が適用される建物の構成について説明する。図１は、本発明の実施の形態に係る建物を概念的に示す図であり、（ａ）は正面図、（ｂ）は側面図である。以下の説明では、図１のＸ方向を建物の左右方向（−Ｘ方向を建物の左方向、＋Ｘ方向を建物の右方向）、図１のＹ方向を建物の前後方向（＋Ｙ方向を建物の前方向、−Ｙ方向を建物の後方向）、図１のＺ方向を建物の上下方向（＋Ｚ方向を建物の上方向、−Ｚ方向を建物の下方向）と称する。建物１は、図１に示すように、設置面Ｃ上に設けられており、屋根部１０、支持部５０、免震装置６０（支持手段）、及び利用空間部（図示省略）を備えている。
【００１８】
（構成−屋根部）
屋根部１０は、建物１の基本構造体の一部であって、利用空間部の上部を覆うための部分であり、図１に示すように、屋根架構２０（梁架構）及び屋根パネル４０を備えている。
【００１９】
（構成−屋根部−屋根架構）
屋根架構２０は、屋根部１０の基本構造体である。この屋根架構２０は、例えば鋼製の長尺な梁材３０を複数組み合わせて構成されている。具体的には、図１に示すように、梁材３０の長手方向が左右方向に略沿うように複数の梁材３０の各々を配置すると共に、複数の梁材３０を前後方向に略沿うように並設することにより構成されている。
【００２０】
ここで、複数の梁材３０の具体的な構成については任意であるが、実施の形態では、トラス梁でそれぞれ構成されている。図２は、梁材３０を示す斜視図である。具体的には、図２に示すように、複数の梁材３０の各々の左右方向の長さについては、利用空間部の左右方向の長さよりも若干長く設定しており、複数の梁材３０の各々の前後方向の長さについては、利用空間部の前後方向の長さよりも短く設定しており、複数の梁材３０の各々の上下方向の長さについては、利用空間部の上下方向の長さよりも短く設定している。また、複数の梁材３０の各々は、前側トラス部３１、後側トラス部３２、上側トラス部３３、下側トラス部３４、左側トラス部３５、及び右側トラス部３６をそれぞれ備えている。
【００２１】
このうち、前側トラス部３１は、梁材３０の前側に位置する部分であり、複数の弦材を組み合わせて構成されている。具体的には、図２に示すように、前側上弦材３１ａと、前側上弦材３１ａよりも下側に位置する前側下弦材３１ｂと、前側上弦材３１ａと前側下弦材３１ｂとの相互間において間隔を隔てて左右方向に複数並設される前側束材３１ｃ（束材）と、前側束材３１ｃ同士の相互間に設けられた前側斜材３１ｄとを備えて構成されている。また、後側トラス部３２は、梁材３０の後側に位置する部分であり、前側トラス部３１の構成と略同一に構成されており、具体的には、図２に示すように、後側上弦材３２ａ、後側下弦材３２ｂ、後側束材３２ｃ（束材）、及び後側斜材３２ｄを備えて構成されている。また、上側トラス部３３は、梁材３０の上側に位置する部分であり、複数の弦材を組み合わせて構成されており、具体的には、図２に示すように、前側上弦材３１ａと後側上弦材３２ａとの相互間において水平に設けられ、且つ間隔を隔てて左右方向に複数並設された上側接続弦材３３ａを備えて構成されている。また、下側トラス部３４は、梁材３０の下側に位置する部分であり、複数の弦材を組み合わせて構成されており、具体的には、図２に示すように、前側下弦材３１ｂと後側下弦材３２ｂとの相互間において水平に設けられ、且つ間隔を隔てて左右方向に複数並設された下側接続弦材３４ａ（下側弦材）を備えて構成されている。また、左側トラス部３５は、梁材３０の左側に位置する部分であり、複数の弦材を組み合わせて構成されており、具体的には、図２に示すように、前側トラス部３１と後側トラス部３２との相互間に設けられた一対の左側斜材３５ａであって、下側接続弦材３４ａにおいて相互に交差する一対の左側斜材３５ａ（斜材）を備えて構成されている。また、右側トラス部３６は、梁材３０の右側に位置する部分であり、左側トラス部３５の構成と略同一に構成されており、具体的には、図２に示すように、一対の右側斜材３６ａ（斜材）を備えて構成されている。なお、実施の形態では、複数の梁材３０の各々における各種束材の配置方法（いわゆる割り付け方法）については、複数の梁材３０の各々における各種束材をすべて同一の位置に配置しているので、屋根架構２０のねじれの発生を抑制できる。
【００２２】
（構成−屋根部−屋根パネル）
図１に戻り、屋根パネル４０は、屋根架構２０の上面を覆うためのものである。この屋根パネル４０は、例えば公知の屋根パネル（一例としてＡＬＣパネル等）を用いて構成されており、図１に示すように、屋根架構２０の上面全体を覆うように複数設けられ、屋根架構２０に対して固定具等によって固定されている。
【００２３】
（構成−支持部）
支持部５０は、建物１の基本構造体の一部であって、屋根部１０を支持する部分である。この支持部５０は、図１に示すように、屋根部１０よりも下方において利用空間部の周囲を覆うように配置されており、前側柱部５１、後側柱部（図示省略）、左側柱部（図示省略）、右側柱部５４、補助梁部５５、左側レール部（図示省略）、及び右側レール部５７を備えている。
【００２４】
前側柱部５１は、支持部５０の前側に位置する柱部である。この前側柱部５１は、例えば公知のコンクリート製の柱材を用いて構成されており、具体的には、図１に示すように、前側柱部５１の左右方向の長さが利用空間部の左右方向の長さよりも短く設定され、前側柱部５１の前後方向の長さが利用空間部の前後方向の長さよりも短く設定され、前側柱部５１の上下方向の長さが利用空間部の上下方向の長さと略同一に設定されている（なお、他の柱部についても同様とする）。また、図１（ａ）に示すように、前側柱部５１は、設置面Ｃに対して立設されていると共に、間隔を隔てて左右方向に複数並設されている。後側柱部は、支持部５０の後側に位置する柱部であり、設置面Ｃに対して立設されていると共に、間隔を隔てて左右方向に複数並設されている。左側柱部は、支持部５０の左側に位置する柱部であり、設置面Ｃに対して立設されていると共に、間隔を隔てて前後方向に複数並設されている。右側柱部５４は、支持部５０の右側に位置する柱部であり、図１（ｂ）に示すように、設置面Ｃに対して立設されていると共に、間隔を隔てて前後方向に複数並設されている。補助梁部５５は、前側柱部５１、後側柱部、左側柱部、及び右側柱部５４の各々を補強するための梁部であり、例えば公知のコンクリート製の梁材を用いて構成されており、図１に示すように、前側柱部５１同士、後側柱部同士、左側柱部同士、及び右側柱部５４同士をそれぞれ接続するように複数設けられている。
【００２５】
左側レール部及び右側レール部５７は、屋根架構２０を構築する際に梁材３０を前後方向に沿って移動するように案内するものである。これら左側レール部及び右側レール部５７は、例えば公知の長尺なレール材（一例として鋼製のレール材）等を用いて構成されており、支持部５０の上側部分に設けられている。具体的には、左側レール部は、並設されているすべての左側柱部の上側部分にわたって設けられており、これら左側柱部に対して直接的又は間接的に接続されている。また、右側レール部５７は、並設されているすべての右側柱部５４の上側部分にわたって設けられており、これら右側柱部５４に対して直接的又は間接的に接続されている。
【００２６】
（構成−免震装置）
図３は、図１（ｂ）の建物１のＡ領域の拡大図である。免震装置６０は、屋根部１０を免震化するための装置であり、例えば公知の免震装置（一例として積層ゴム支承、滑り支承等）を用いて構成されており、屋根架構２０と支持部５０の前側柱部５１（又は後側柱部）との相互間に設けられている。具体的には、図３に示すように、屋根架構２０の各梁材３０の右端部（具体的には、前側束材３１ｃのうち最右方側に位置する前側束材３１ｃ、及び後側束材３２ｃのうち最右方側に位置する後側束材３２ｃ）と右側柱部５４（具体的には、右側レール部５７）の上端部又はその近傍との相互間にそれぞれ設けられ、当該各梁材３０及び右側レール部５７に対して固定具等によってそれぞれ接続されている。これと同様に、屋根架構２０の各梁材３０の左端部（具体的には、前側束材３１ｃのうち最左方側に位置する前側束材３１ｃ、及び後側束材３２ｃのうち最左方側に位置する後側束材３２ｃ）と左側柱部（具体的には、左側柱部に接続された左側レール部）の上端部又はその近傍との相互間にそれぞれ設けられ、当該各梁材３０及び左側レール部に対して固定具等によってそれぞれ接続されている。また、屋根架構２０の梁材３０のうち最前方側の梁材３０の下端部と少なくともいずれか１つ以上の前側柱部５１との相互間にそれぞれ設けられ、当該梁材３０及び当該前側柱部５１に対して固定具等によってそれぞれ接続されている。また、屋根架構２０の梁材３０のうち最後方側の梁材３０の下端部と少なくともいずれか１つ以上の後側柱部との相互間にそれぞれ設けられ、当該梁材３０及び当該後側柱部に対して固定具等によってそれぞれ接続されている。
【００２７】
（構成−利用空間部）
利用空間部は、所定の目的（例えば、スポーツイベント等）に応じた利用が行われる空間部であり、例えば直方体状に形成されており、具体的には、所定の人数を収容可能であり、且つ所望の設備（例えば観客席や競技設備等）を収容可能な大きさに設定された空間部として形成されている。
【００２８】
（屋根架構の据え付け方法）
続いて、実施の形態に係る屋根架構２０の据え付け方法について説明する。図４は、屋根架構２０の据え付け方法のトラベリング工程を示す図であって、図３に対応する領域を示す図である。図５は、屋根架構２０の据え付け方法の設置工程を示す図であって、図３に対応する領域を示す図である。図６は、屋根架構２０の据え付け方法の盛替工程を示す図であって、図３に対応する領域を示す図である。図３から図６に示すように、実施の形態に係る屋根架構２０の据え付け方法は、準備工程、トラベリング工程、設置工程、盛替工程、及び撤去工程を含んでいる。なお、屋根架構２０の据え付け方法の前提としては、支持部５０が設置面Ｃ上に設置されているものとして説明する。
【００２９】
（屋根架構の据え付け方法−準備工程）
まず、準備工程について説明する。準備工程は、屋根架構２０を据え付けるための準備を行う工程である。
【００３０】
具体的には、支持部５０よりも後方位置において、クレーン（図示省略）を用いてトラベリング工程で使用されるトラベリング構台（図示省略）を組み立てる。また、支持部５０又はトラベリング構台に作業用足場（図示省略）を取り付ける。
【００３１】
（屋根架構の据え付け方法−トラベリング工程、設置工程、盛替工程）
次に、トラベリング工程、設置工程、及び盛替工程について説明する。トラベリング工程は、準備工程後に、搬送装置７０を用いて当該搬送装置７０を移動させながら梁材３０を所定位置までトラベリング（横引き）する工程である。設置工程は、トラベリング工程後に、後述する搬送装置７０の受け部８０によって梁材３０が支持されている状態（以下、「支持状態」と称する）において、右側柱部５４（又は左側柱部）と梁材３０の前側束材３１ｃ（又は後側束材３２ｃ）との相互間に免震装置６０を設ける工程である。盛替工程は、設置工程後に、後述する搬送装置７０の受け部８０が受けている梁材３０の荷重を免震装置６０に盛り替える工程である。なお、実施の形態では、複数の梁材３０をトラベリングすることから、トラベリング工程、設置工程、及び盛替工程をそれぞれ複数回実施し、且つ並行して実施するものとする。
【００３２】
また、「搬送装置７０」とは、梁材３０を搬送するための搬送手段であり、図４に示すように、受け部８０、スライド部９０、及び反力受け部１００を備えている。ここで、受け部８０は、梁材３０の荷重を受けるものであり、図４に示すように、昇降部８１及び調整部８２を備えている。このうち、昇降部８１は、梁材３０を上昇又は下降させるためのものであり、例えば公知のジャッキ（一例としてスライディングジャッキ）等を用いて構成されており、梁材３０と右側レール部５７（又は左側レール部）との相互間に設けられている。また、調整部８２は、梁材３０の前後方向の位置を調整するためのものであり、例えば公知のジャッキ等を用いて構成されており、昇降部８１と梁材３０との相互間に設けられている。また、スライド部９０は、梁材３０を前後方向にスライドさせるためのものであり、図４に示すように、梁材３０と右側レール部５７（又は左側レール部）との相互間に設けられ、スライド部本体９１及び第１拘束部９２を備えている。このうち、スライド部本体９１は、スライド部９０の基本構造体であり、例えば公知のジャッキ（一例としてクレビス付きジャッキ）等を用いて構成され、受け部８０よりも後方に設けられ、受け部８０に対して連結部材９３を介して接続されている。また、第１拘束部９２は、スライド部９０の移動を拘束するためのものであり、例えば公知の拘束具（一例としてクランプジャッキ）等を用いて構成されており、スライド部本体９１と梁材３０との相互間に設けられている。また、反力受け部１００は、スライド部９０によって梁材３０をスライドさせたときに生じる反力を受けるものであり、図４に示すように、梁材３０と右側レール部５７（又は左側レール部）との相互間に設けられ、反力受け部本体１０１及び第２拘束部１０２を備えている。このうち、反力受け部本体１０１は、反力受け部１００の基本構造体であり、例えば公知の反力受け具（一例としてジョイントアイバ―）等を用いて構成され、受け部８０よりも前方に設けられ、受け部８０に対して連結部材１０３を介して接続されている。また、第２拘束部１０２は、反力受け部１００の移動を拘束するためのものであり、例えば公知の拘束具（一例としてクランプジャッキ）等を用いて構成されており、反力受け部本体１０１と梁材３０との相互間に設けられている。
【００３３】
また、トラベリング工程、設置工程、及び盛替工程の具体的な内容については、以下の通りとなる。
【００３４】
すなわち、まず、トラベリング工程においては、図４に示すように、少なくとも１つ以上の梁材３０をトラベリング構台まで搬送して、当該梁材３０の各々の支持対象部分３７に搬送装置７０の受け部８０を取り付けた後に、公知のトラベリング工法（例えば、ジャッキを利用したトラベリング工法等）を用いて、当該搬送装置７０を移動させながら当該梁材３０を設置位置までトラベリングする。ここで、「支持対象部分３７」とは、梁材３０の部分のうち前側束材３１ｃ（又は後側束材３２ｃ）及びその近傍部分以外の部分であり、実施の形態では、梁材３０の下側接続弦材３４ａのうち一対の右側斜材３６ａとの図４の交差部分３８と、梁材３０の下側接続弦材３４ａのうち一対の左側斜材３５ａとの交差部分とが該当する。また、このトラベリングの方法については任意であるが、例えば、まず、昇降部８１によって梁材３０を所定位置まで上昇させる（なお、この上昇させた状態を、盛替工程が行われるまで維持する）。次に、第１拘束部９２によってスライド部９０の移動を拘束し、且つ第２拘束部１０２によって反力受け部１００の移動を拘束しない状態で、スライド部本体９１のシリンダ部を前方に押し出すことにより梁材３０及び反力受け部１００を前方にスライドさせる。次いで、第１拘束部９２によってスライド部９０の移動を拘束せず、且つ第２拘束部１０２によって反力受け部１００の移動を拘束した状態で、スライド部本体９１のシリンダ部を押し出す前の状態に戻すことによりスライド部９０を前方にスライドさせる。そして、梁材３０が設置位置に達するまで、これらの操作を繰り返す。
【００３５】
なお、複数の梁材３０を組み合わせた後にトラベリングする場合には、例えば、隣接する梁材３０の前側トラス部３１又は後側トラス部３２を共通化して形成してもよく、一例として、隣接する梁材３０のいずれか一方の後側トラス部３２と隣接する梁材３０のいずれか他方の前側トラス部３１とを１つのトラス部で形成してもよい。
【００３６】
次に、設置工程においては、図５に示すように、支持状態において、右側レール部５７と梁材３０の前側束材３１ｃ（又は後側束材３２ｃ）との相互間に免震装置６０を配置し、当該免震装置６０を右側レール部５７に対して固定具等によって接続する。これと同様に、左側レール部と梁材３０の前側束材３１ｃ（又は後側束材３２ｃ）との相互間に免震装置６０を配置し、当該免震装置６０を左側レール部に対して固定具等によって接続する。
【００３７】
次いで、盛替工程においては、図６に示すように、昇降部８１によって梁材３０が設置工程にて設置した免震装置６０と当接するまで下降させることにより、受け部８０が受けている梁材３０の荷重を当該免震装置６０に盛り替えた後に、当該免震装置６０を梁材３０に対して固定具等によって接続する。
【００３８】
そして、すべての梁材３０を設置位置までトラベリングして設置するまで、これらトラベリング工程、設置工程、及び盛替工程を複数回繰り返す。
【００３９】
（屋根架構の据え付け方法−撤去工程）
続いて、撤去工程について説明する。撤去工程は、トラベリング工程、設置工程、及び盛替工程の後に、トラベリング構台及び作業用足場を撤去する工程である。具体的には、クレーン等を用いてトラベリング構台及び作業用足場を解体することにより、撤去する。
【００４０】
以上のような据え付け方法により、梁材３０を免震装置６０に据え付けると同時に盛り替え工程を行うことができる。よって、従来技術（トラスユニットの下弦材のうち免震装置６０の設置部分に設けられた鉛直ジャッキにてトラスユニットを仮受けする技術）に比べて、盛り替え工程に要する手間を低減でき、免震化される屋根架構２０の据え付け作業の効率化を図ることができる。また、支持対象部分３７が、梁材３０の下側接続弦材３４ａのうち一対の右側斜材３６ａとの交差部分３８と、梁材３０の下側接続弦材３４ａのうち一対の左側斜材３５ａとの交差部分とであるので、受け部８０による梁材３０の支持を安定させることができ、屋根架構２０の据え付け作業の安全性を確保しやすくなる。
【００４１】
（実施の形態の効果）
このように実施の形態によれば、梁材３０を搬送する搬送装置７０であって、梁材３０の部分のうち束材及びその近傍部分以外の部分である支持対象部分３７を支持する受け部８０を備える搬送装置７０を用いて、当該搬送装置７０を移動させながら梁材３０を所定位置までトラベリングするトラベリング工程と、トラベリング工程後に、受け部８０によって梁材３０が支持されている状態において、建物１を構成する柱部又は梁部と束材との相互間に支持手段を設ける設置工程と、設置工程後に、受け部８０が受けている梁材３０の荷重を支持手段に盛り替える盛替工程と、を含むので、梁材３０を支持手段に据え付けると同時に盛り替え工程を行うことができる。よって、従来技術（トラスユニットの下弦材のうち免震装置６０の設置部分に設けられた鉛直ジャッキにてトラスユニットを仮受けする技術）に比べて、盛り替え工程に要する手間を低減でき、屋根架構２０の据え付け作業の効率化を図ることができる。
【００４２】
また、支持手段が、免震装置６０であるので、支持手段が免震装置６０である場合に梁材３０を据え付けると同時に盛り替え工程を行うことができ、免震化される屋根架構２０の据え付け作業の効率化を図ることができる。
【００４３】
また、支持対象部分３７が、梁材３０を構成する下側接続弦材３４ａの部分のうち斜材（具体的には、一対の右側斜材３６ａ又は一対の左側斜材３５ａ）との交差部分であるので、受け部８０による梁材３０の支持を安定させることができ、屋根架構２０の据え付け作業の安全性を確保しやすくなる。
【００４４】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００４５】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００４６】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００４７】
（梁材について）
上記実施の形態では、梁材３０が、上側接続弦材３３ａ及び下側接続弦材３４ａ、（すなわち、一対の上弦材同士及び一対の下弦材同士を接続するブレース材を備えている）を備えていると説明したが、これに限らず、例えば、上側接続弦材３３ａ又は下側接続弦材３４ａの少なくともいずれか一方を省略してもよい（ただし、上側接続弦材３３ａ及び下側接続弦材３４ａの両方を省略する場合には、最左方側及び最右方側に位置する上側接続弦材３３ａ又は下側接続弦材３４ａは除く）。
【００４８】
（免震装置について）
上記実施の形態では、免震装置６０が、梁材３０と支持部５０の各種柱部との相互間に設けられていると説明したが、これに限らず、例えば、梁材３０と支持部５０の各種梁部（一例として、補助梁部５５）との相互間に設けられてもよい。
【００４９】
（支持対象部分について）
上記実施の形態では、支持対象部分３７が、梁材３０の下側接続弦材３４ａのうち一対の右側斜材３６ａ（又は一対の左側斜材３５ａ）との交差部分であると説明したが、これに限らず、例えば、梁材３０の下側接続弦材３４ａのうち上記交差部分以外の部分であってもよい。
【００５０】
（屋根架構の据え付け方法について）
上記実施の形態では、屋根架構２０の据え付け方法が、準備工程及び撤去工程を含むと説明したが、これに限らない。例えば、既設の建物１を構成する構成部材や設備等をトラベリング構台及び作業用足場として利用できる場合には、準備工程及び撤去工程を省略してもよい。
【００５１】
また、上記実施の形態では、トラベリング工程において、ジャッキを利用したトラベリング工法を用いて、搬送装置７０を移動させながら梁材３０を設置位置までトラベリングすると説明したが、これに限らず、例えば、公知のワイヤを利用したトラベリング工法を用いて、搬送装置７０を移動させながら梁材３０を設置位置までトラベリングしてもよい。この場合において、搬送装置７０は、公知のワイヤを利用して梁材３０をトラベリングすることが可能な装置であって、梁材３０を支持可能な受け部８０を備えた装置として構成される。
【００５２】
（付記）
付記１の梁架構の据え付け方法は、建物の梁架構であり、トラス梁を備える梁架構を支持手段に据え付けるための据え付け方法であって、前記トラス梁を搬送する搬送手段であって、前記トラス梁の部分のうち束材及びその近傍部分以外の部分である支持対象部分を支持する受け部を備える搬送手段を用いて、当該搬送手段を移動させながら前記トラス梁を所定位置までトラベリングするトラベリング工程と、前記トラベリング工程後に、前記受け部によって前記トラス梁が支持されている状態において、前記建物を構成する柱部又は梁部と前記束材との相互間に前記支持手段を設ける設置工程と、前記設置工程後に、前記受け部が受けている前記トラス梁の荷重を前記支持手段に盛り替える盛替工程と、を含む。
【００５３】
付記２の梁架構の据え付け方法は、付記１に記載の梁架構の据え付け方法において、前記支持手段は、免震装置である。
【００５４】
付記３の梁架構の据え付け方法は、付記１又は２に記載の梁架構の据え付け方法において、前記支持対象部分は、前記トラス梁を構成する下側弦材の部分のうち斜材との交差部分である。
【００５５】
（付記の効果）
付記１に記載の梁架構の据え付け方法によれば、トラス梁を搬送する搬送手段であって、トラス梁の部分のうち束材及びその近傍部分以外の部分である支持対象部分を支持する受け部を備える搬送手段を用いて、当該搬送手段を移動させながらトラス梁を所定位置までトラベリングするトラベリング工程と、トラベリング工程後に、受け部によってトラス梁が支持されている状態において、建物を構成する柱部又は梁部と束材との相互間に支持手段を設ける設置工程と、設置工程後に、受け部が受けているトラス梁の荷重を支持手段に盛り替える盛替工程と、を含むので、トラス梁を支持手段に据え付けると同時に盛り替え工程を行うことができる。よって、従来技術（トラスユニットの下弦材のうち免震装置の設置部分に設けられた鉛直ジャッキにてトラスユニットを仮受けする技術）に比べて、盛り替え工程に要する手間を低減でき、梁架構の据え付け作業の効率化を図ることができる。
【００５６】
付記２に記載の梁架構の据え付け方法によれば、支持手段が、免震装置であるので、支持手段が免震装置である場合にトラス梁を据え付けると同時に盛り替え工程を行うことができ、免震化される梁架構の据え付け作業の効率化を図ることができる。
【００５７】
付記３に記載の梁架構の据え付け方法によれば、支持対象部分が、トラス梁を構成する下側弦材の部分のうち斜材との交差部分であるので、受け部によるトラス梁の支持を安定させることができ、梁架構の据え付け作業の安全性を確保しやすくなる。
【符号の説明】
【００５８】
１  建物
１０  屋根部
２０  屋根架構
３０  梁材
３１  前側トラス部
３１ａ  前側上弦材
３１ｂ  前側下弦材
３１ｃ  前側束材
３１ｄ  前側斜材
３２  後側トラス部
３２ａ  後側上弦材
３２ｂ  後側下弦材
３２ｃ  後側束材
３２ｄ  後側斜材
３３  上側トラス部
３３ａ  上側接続弦材
３４  下側トラス部
３４ａ  下側接続弦材
３５  左側トラス部
３５ａ  左側斜材
３６  右側トラス部
３６ａ  右側斜材
３７  支持対象部分
３８  交差部分
４０  屋根パネル
５０  支持部
５１  前側柱部
５４  右側柱部
５５  補助梁部
５７  右側レール部
６０  免震装置
７０  搬送装置
８０  受け部
８１  昇降部
８２  調整部
９０  スライド部
９１  スライド部本体
９２  第１拘束部
９３  連結部材
１００  反力受け部
１０１  反力受け部本体
１０２  第２拘束部
１０３  連結部材
Ｃ  設置面
【図１】
2020084533.tif 000003
【図２】
2020084533.tif 000004
【図３】
2020084533.tif 000005
【図４】
2020084533.tif 000006
【図５】
2020084533.tif 000007
【図６】
2020084533.tif 000008